(57)【要約】【課題】取付端子部により電気的接続を行うにあたり、取付端子部の取付および接続作業を適切かつ容易に行える端子装置を得る。【解決手段】真空スイッチ１の可動電極ロッド４の下端部に取り付けられる割り端子５と、少なくとも一端面を閉塞された筒状の下部端子１０と、下部端子１０の一端面に設けられた開口部１１ａを介して真空スイッチ１の可動電極ロッド４を含む真空スイッチ１の一部を下部端子１０の内部へ挿入し割り端子５により真空スイッチ１を下部端子１０に電気的に接続する端子装置において、下部端子１０の開口部１１ａを真空スイッチ１の可動電極ロッド４に取り付けられた割り端子５が通過し得る形状とした。【選択図】        図１
2004171902.tif 000002
【特許請求の範囲】
【請求項１】
真空スイッチ本体の可動電極部材に取り付けられる取付端子部と、前記真空スイッチ本体と結合される中空の接続端子部と、前記接続端子部の前記真空スイッチ本体との結合部分に設けられた開口部を介して前記真空スイッチ本体の可動電極部材を含む前記真空スイッチ本体の一部を前記接続端子部の内部へ挿入し、前記取付端子部により前記真空スイッチ本体の可動電極部材に係る電気的接続を行う端子装置において、前記接続端子部の開口部を前記真空スイッチ本体の可動電極部材に取り付けられた前記取付端子部が通過し得る形状としたことを特徴とする端子装置。
【請求項２】
前記接続端子部の開口部を前記真空スイッチ本体の可動電極部材に取り付けられた前記取付端子部が通過し得る形状とするとともに、前記真空スイッチ本体の一部に係合して前記真空スイッチ本体の一部の前記接続端子部内部への挿入を案内する案内部を前記接続端子部に設けたことを特徴とする請求項１に記載の端子装置。
【発明の詳細な説明】
【０００１】
【発明の属する技術分野】
この発明は、端子装置、特に、組立性の向上，作業時間の短縮を図るため、真空スイッチ管に割り端子を取付けたまま組込みが可能なガイド穴を設けた真空スイッチの下部端子装置の構造に関する。
【０００２】
【従来の技術】
真空スイッチ管を用いた遮断器においては、可動電極の外端部を覆って電界緩和シールドを兼用する中空の下部端子を設け、外部への回路接続を下部端子の内部で行うものであった（例えば、特許文献１参照）。
通常、このような回路接続は、真空スイッチ管可動電極の外端部に取付端子を取り付けて行われる。
しかしながら、真空スイッチ管可動電極の外端部を下部端子の内部に挿入した状態で取付端子を取り付けて接続作業を行うことは、作業スペースが狭いこともあって、かなり困難な作業が強いられる状況であった。
【０００３】
【特許文献１】
特開２００１−１４３５８２号公報（第２−３頁、図１）
【０００４】
【発明が解決しようとする課題】
この発明は、真空スイッチ本体の可動電極部材に取り付けた取付端子部により電気的接続を行うにあたり、取付端子部の取付および接続作業を適切かつ容易に行える端子装置を得ようとするものである。
【０００５】
【課題を解決するための手段】
この発明に係る接続装置では、真空スイッチ本体の可動電極部材を含む真空スイッチ本体の一部が挿入される接続端子部の開口部を、真空スイッチ本体の可動電極部材に取り付けられた取付端子部が通過し得る形状としたものである。
【０００６】
【発明の実施の形態】
実施の形態１．
この発明による実施の形態１を図１ないし図４について説明する。図１は実施の形態１における組立前の構成を示す側面図および正面図である。図２は実施の形態１における組立後の構成を示す側面図である。図３は実施の形態１における割り端子からなる取付端子部を示す上面図および側面図である。図４は実施の形態１における下部端子からなる接続端子部の構成を示す拡大上面図である。
【０００７】
図１（ａ）は実施の形態１における組立前の構成を一部断面で示す側面図である。図１（ｂ）は実施の形態１における組立前の構成を示す正面図である。
真空スイッチ管１は、真空容器２の内部に固定電極ロッド３および可動電極ロッド４を収容している。真空容器２の下方端面部と可動電極ロッド４の周面下部との間にはベローズ（図示せず）が設けられている。
棒状の可動電極ロッド４の上端部には可動接点が設けられ、固定電極ロッド４に設けられた固定接点と接離可能に構成されている。可動電極ロッド４は図示閉極位置から下方へ駆動されることにより開極位置へ移行される。
【０００８】
可動電極ロッド４の下端部には、割り端子５からなる取付端子が取り付けられる。
この割り端子５は、図３に示すように構成されている。
割り端子５の中心部には、垂直方向に貫通する貫通穴６が設けられ、この貫通穴６に切欠き６ａが設けられて、割り端子構造を形成している。
割り端子５は、貫通穴６を可動電極ロッド４の下端部周面に嵌合して可動電極ロッド４に取り付けられる。
割り端子５には、割り端子５を可動電極ロッド４に締結するボルト７ａを挿着するためのボルト穴７が設けられ、割り端子５は、ボルト７ａとこのボルト７ａに螺合するナット７ｂによって可動電極ロッド４に締結される。
また、割り端子５には、接続用導体を装着するための接続用ねじ穴８が設けられている。
割り端子５は、接続用ねじ穴８に装着される接続用導体８Ｆ（図２）によって下部端子１０に構成された接続端子部１０Ａに電気的に接続され、下部端子１０は外部回路に接続される。
すなわち、真空スイッチ１の可動電極ロッド４は、割り端子５および下部端子１０を介して外部回路に電気的に接続されるのである。
【０００９】
真空スイッチ１を含む全体装置の組立過程において、割り端子５が可動電極ロッド４の下端部に取り付けられた真空スイッチ１は、可動電極ロッド４の下端部を含む真空スイッチ１の一部を下部端子１０からなる接続端子部の内部に挿入する。
中空の筒状下部端子１０は、導電材により構成され、割り端子５を介して可動電極ロッド４との電気的接続を確保し、かつ、可動電極ロッド４の外部への電気的接続を行うとともに、可動電極ロッド４の下方端面部における電界を緩和する電界緩和シールドの役割を兼用するものであって、真空スイッチ１の下部に固着されて連結され互いに結合される中空の筒状下部端子１０の上部端面は端面部１１により閉塞され、また、下部端面も閉塞されている。
【００１０】
中空の筒状下部端子１０の上部端面を閉塞する端面部１１には、開口部１１ａが設けられ、割り端子５を取り付けた可動電極ロッド４の下端部を含む真空スイッチ１の一部は、下部端子１０の内部に挿入される。
下部端子１０の端面部１１に設けられた開口部１１ａは、可動電極ロッド４に取り付けられた割り端子５の平面投影形状に相当する平面形状を有し、可動電極ロッド４に取り付けられた割り端子５は、可動電極ロッド４に取り付けられたまま、下部端子１０の端面部１１に設けられた開口部１１ａを介して下部端子１０の中空部に挿入されるのである。
【００１１】
そして、下部端子１０の上部端面部分には、図１（ａ）に断面図を示し、図４に上面図を示すように、ガイド部材１２が下部端子１０と一体に設けられ、ガイド部材１２の内周縁を形成する円環状のガイド部１２ａは、割り端子５を取り付けた可動電極ロッド４の下端部を含む真空スイッチ１の一部が下部端子１０の内部に挿入される際、真空スイッチ１の円筒状部分１ａの外周面に係合し、これを案内するガイド作用を行う。
このガイド部１２ａによるガイド作用により、割り端子５を取り付けた可動電極ロッド４は支障なく開口部１１を通って下部端子１０の内部に挿入される。
【００１２】
割り端子５を取り付けた可動電極ロッド４の下端部を含む真空スイッチ１の一部が下部端子１０の内部に挿入され、真空スイッチ１と上部端子１３および下部端子１０とが組立てられた状態を、図２に示している。
【００１３】
上部端子１３は、フレーム１４Ａに一端面を固着された中空筒状の碍子１５Ａの他端面に設けられたネジ用埋金に螺合するボルトにより碍子１５Ａに固着され、フレーム１４Ａによって支持される。
真空スイッチ１は固定電極ロッド３の上端部に設けられたネジ部に螺合するボルトにより上部端子１３に締結され、上部端子１３に固定支持される。
【００１４】
下部端子１０は、フレーム１４Ｂに一端面を固着された中空筒状の碍子１５Ｂの他端面に設けられたネジ用埋金に螺合するボルトにより碍子１５Ｂに固着され、フレーム１４Ｂによって支持される。
この状態で、下部端子１０の真空スイッチ１下部に対する嵌合部１０ａは、真空スイッチ１の下部外周と僅少な間隙を有するものであって、単なる嵌め込み状態となっている。
割り端子５は、可撓導体素板を重合積層した可撓導体からなる接続用導体８Ｆによって下部端子１０の接続端子部１０Ａに電気的に接続される。
【００１５】
真空スイッチ１と下部端子１０とは、図３に示す状態で互いに結合され、一体の装置として運用される。
下部端子１０は、この状態で、前述のように、１ａの外周部から可動電極ロッド４の下端部を含む真空スイッチ１の下端部分までの電界を緩和する電界緩和シールド作用を行う。
【００１６】
下部端子１０の内部には、可動電極ロッド４を上下に駆動し、開極動作または閉極動作を行わせるためのリンク機構（図示せず）が設けられている。このリンク機構は下部端子１０の外部に設けた操作機構により駆動操作される。
図２に実線で示す位置が真空スイッチ１の接点閉極状態における可動電極ロッド４の下端位置であり、１点鎖線で示す位置が開極状態における可動電極ロッド４の下端位置である。
【００１７】
この発明による実施の形態によれば、真空スイッチ１からなる真空スイッチ本体の可動電極ロッド４からなる可動電極部材に取り付けられる割り端子５からなる取付端子部と、下部端子１０からなる少なくとも一端面を端面閉塞部１１により閉塞され端面閉塞部１１によって前記真空スイッチ本体に固着されて連結され互いに結合される中空の筒状接続端子部と、前記接続端子部の一端面における前記真空スイッチ本体との結合部分としての端面閉塞部１１に設けられた開口部１１ａを介して真空スイッチ本体の可動電極部材を含む前記真空スイッチ本体の一部を前記中空の筒状接続端子部の内部へ挿入し前記取付端子部により前記真空スイッチ本体の可動電極部材に係る電気的接続を行い、前記真空スイッチ本体の可動電極部材を前記接続端子部に電気的に接続する端子装置において、前記接続端子部の開口部１１ａを前記真空スイッチ本体の可動電極部材に取り付けられた前記取付端子部が通過し得る形状とするとともに、前記真空スイッチ本体の一部に係合して前記真空スイッチ本体の一部の前記接続端子部内部への挿入を案内するガイド部１２ａからなる案内部を前記接続端子部に設けたので、前記真空スイッチ本体の可動電極部材に取り付けられた割り端子５からなる取付端子部により電気的接続を行うにあたり、取付端子部の取付および接続作業について取付端子を可動電極部材に取り付けたまま適切かつ容易に行えるとともに、真空スイッチ本体の一部の接続端子部内部への挿入を容易に行える端子装置を得ることができる。
【００１８】
【発明の効果】
この発明によれば、真空スイッチ本体の可動電極部材に取り付けた取付端子部により電気的接続を行うにあたり、取付端子部の取付および接続作業を適切かつ容易に行える端子装置を得ることができる。
【図面の簡単な説明】
【図１】この発明による実施の形態における組立前の構成を示す側面図および正面図である。
【図２】この発明による実施の形態における組立後の構成を示す側面図である。
【図３】この発明による実施の形態における割り端子からなる取付端子部を示す上面図および側面図である。
【図４】この発明による実施の形態における下部端子からなる接続端子部の構成を示す拡大上面図である。
【符号の説明】
１  真空スイッチ管、２  真空容器、３  固定電極ロッド、４  可動電極ロッド、５  割り端子、１０  下部端子、１１  端面部、１１ａ  開口部、１２  ガイド部材、１２ａ  ガイド部。
【図１】
2004171902.tif 000003
【図２】
2004171902.tif 000004
【図３】
2004171902.tif 000005
【図４】
2004171902.tif 000006